(57)【要約】      （修正有）【課題】パウダー容器に結合されるパフを傾斜形パフで提供し傾斜面を利用して化粧を容易くできるようにすることだけではなく、パウダーの粉が容易く排出されるように補助パフシーツを持つよう構成する。【解決手段】内部に化粧用のパウダーを充填するための空間部を持ち、上部に円筒形パネル１１と開口部とが形成される共に開閉のためのねじ山１１ａが円筒形パネル１１の外則に形成されて構成される容器本体１０と前記容器本体１０の上部に結合されるショルダー３０と前記ショルダーの上部に結合されるリング形の固定具４と前記リング形の固定具４０に安着されてパウダーが通過するパウダーの通過用のホール５１が多数個に形成されて上部に傾斜面５０ａが形成されるように構成され、前記傾斜面５０ａに吐き出されたパウダーを利用して化粧するように誘導する化粧パフ５０と前記パフ５０の上部と外則面とを包むパフカバー６０とを含めて構成されるる。【選択図】図３
2014236983.tif 000002
【特許請求の範囲】
【請求項１】
内部に化粧用のパウダーを充填するための空間部を持ち、上部に円筒形パネル（１１）と開口部とが形成される共に開閉のためのねじ山（１１ａ）が円筒形パネル（１１）の外則に形成されて構成される容器本体（１０）と；
前記容器本体（１０）の上部に結合されるショルダー（３０）と；
前記ショルダーの上部に結合されるリング形の固定具（４０）と；
前記リング形の固定具（４０）に安着されて化粧用のパウダーが通過するパウダーの通過用のホール（５１）が形成され、上部に傾斜面（５０ａ）が形成されたパフ（５０）と；
前記パフ（５０）の上面に安着された補助パフシーツ（５２）と；
前記パフ（５０）と前記補助パフシーツ（５２）との上部及び外則面を包むパフカバー（６０）と；
を含めて構成されることを特徴とする傾斜形パフを持つパウダー容器。
【請求項２】
内部に化粧用のパウダーを充填するための空間部を持ち、上部に円筒形パネル（１１）と開口部とが形成される共に開閉のためのねじ山（１１ａ）が円筒形パネル（１１）の外則に形成されて構成される容器本体（１０）と；
前記容器本体（１０）の上部に結合され、内則に安着部が形成されて構成される統合形ショルダー（３０’）と；
前記ショルダー（３０’）に安着されてパウダーが通過するパウダーの通過用のホール（５１）が形成され、上部に傾斜面（５０ａ）が形成されたパフ（５０）と；
前記パフ（５０）の上面に安着された補助パフシーツ（５２）と；
前記パフ（５０）と補助パフシーツ（５２）との上部及び外則面を包むパフカバー（６０）と；
を含めて構成されることを特徴とする傾斜形パフを持つパウダー容器。
【請求項３】
第１項または第２項において、
前記パフ（５０）のパウダーの通過用のホール（５１）は、上と中と下とのそれぞれの直径が同一な円筒形、または上広中狭下広の形態の孔で形成されることを特徴とする傾斜形パフを持つパウダー容器。
【請求項４】
第１項または第２項において、
前記パフ（５０）の傾斜面にパウダーの通過用のホール（５１）が形成され、傾斜面の上段部に位置するホール（５１ａ）が他のホール（５１ｂ、５１ｃ）より大きく形成されることを特徴とする傾斜形パフを持つパウダー容器。
【請求項５】
第４項において、
前記パフ（５０）の傾斜面のパウダーの通過用のホール（５１）は、前記傾斜面の上段部に位置するホール（５１ａ）が一番大きいホールで、前記傾斜面で中間部に位置するホール（５１ｂ ）が中間の大きさのホールで、前記傾斜面で下段部に位置するホール（５１ｃ）が一番小さいホールで、それぞれに形成されることを特徴とする傾斜形パフを持つパウダー容器。
【請求項６】
第１項において、
前記補助パフシーツ（５２）はパフ（５０）とパフカバー（６０）とより粗密ではない発泡樹脂フォームまたは網紗で形成されることを特徴とする傾斜形パフを持つパウダー容器。
【請求項７】
第１項において、
前記補助パフシーツ（５２）はパフ（５０）の傾斜面（５０ａ）の広さより小さい広さに形成され、前記補助パフシーツ（５２）をパフ（５０）の傾斜面（５０ａ）の上部則に位置して、パフ（５０）の傾斜面（５０ａ）の下部則（Ｂ）はパフカバー（６０）がパフ（５０）に直接に接触されるように形成されることを特徴とする傾斜形パフを持つパウダー容器。
【請求項８】
第１項において、
前記パフ（５０）とパフカバー（６０）との上に蓋（７０）が更に覆われることを特徴とする傾斜形パフを持つパウダー容器。
【請求項９】
第８項において、
前記蓋（７０）の上面にはミラー（７１）が付着されることを特徴とする傾斜形パフを持つパウダー容器。
【発明の詳細な説明】
【技術分野】
【０００１】
本発明は傾斜形パフを持つ化粧用のパウダー容器に係わり、特にパウダー容器に結合されるパフを傾斜形パフで提供することで傾斜面を利用して化粧が容易くできるようにすることと、化粧用のパウダーが流れ落ちることなく容易く排出されるように補助パフシーツを持つよう構成されることを特徴とする傾斜形パフを持つパウダー容器に関するものである。
【背景技術】
【０００２】
一般的に女性たちは頬や唇や眉毛などに様々なカラーの色調化粧品を使用して化粧をすることによって美的感覚に対する欲求が満たされて来たところ、朝に化粧した後に日常的な活動によって化粧が少しずつ消されるか乱されるようになるが、この時に乱された化粧をを整理するとか再化粧をするための化粧用具が必要になる。
【０００３】
従来には容器に別途に備えられたパフに化粧用のパウダーをつけて化粧をするが、このように容器とパフとがそれぞれに構成されている化粧用のパウダーを利用して化粧をする時または化粧を直す時に化粧用のパウダーが込められたパウダー容器を床に置いた状態で一つの手でミラーを持ってからもう一つの手でパフをを持ってパウダー容器に込められた化粧用のパウダーをパフにつけて顔化粧をすることであり、とても煩わしく、パウダーの飛散の問題と共にパウダー容器を倒して化粧用のパウダーをこぼす短所があった。
【０００４】
このような問題点を解決するため、パウダー容器とパフとが一体に形成されているパウダー容器が着眼されたが、これはパウダー容器に貯蔵されている化粧用のパウダーを使用していない間でも内部の化粧用のパウダーがパフを通じて外部に排出され化粧用のパウダーの浪費をもたらすことと、パウダー容器の周りがパウダーのせいで汚される短所があった。
【０００５】
これを解決するために本出願人は図１に示されているように登録実用新案第２０−０３８５９２８号の技術を提案したところ、上部に開放部を備えて、化粧用のパウダーを収容する収容体（１０）と；前記収容体（１０）の上部に結合されて、内則に一定の幅の安着リブ（２２）が具備され安着溝（２１）が形成された結合部材（２０）と；前記結合部材（２０）の安着リブ（２２）に安着されて安着溝（２１）に収容され、ポンプ作用を通じて前記収容体（１０）からパウダーが均一に排出されるよう複数の排出孔（３１）を備えるスポンジ部材（３０）と； 前記スポンジ部材（３０）の外則を包むように具備され前記スポンジ部材（３０）が結合部材（２０）の安着溝（２１）から離脱されることを防止して、前記スポンジ部材（３０）の排出孔（３１）を通じて排出されたパウダーがより均一に外部に排出されるようにする分散部材（４０）と；前記分散部材（４０）が外部に露出されないように前記分散部材（４０）を包みながら前記結合部材（２０）に結合される蓋（５０）と；を含む。
【０００６】
しかしながら、このような従来考案はパフ表面が水平を成すため、化粧用のパウダー容器を逆さまに立て顔表面に垂直につ当ててから化粧をしなければならないので使用上かなり不便な問題があった。
【０００７】
また、登録特許第１０−１０６０８２６号は違う形態のパウダー容器が提案されていて、内部の収容部（１２）に粉末形態の化粧用のパウダーが収納される容器本体（１０）と、前記容器本体の上部にねじ部（１１，２１）によって相互にねじ結合されて上部に多数個の供給孔（３２）が貫通形成されたパフ（３０）と前記パフを包むカバー（３５）とが結合されたショルダーキャップ（２０）と、前記ショルダーキャップの上部に開閉可能に結合された蓋（４０）とで構成される化粧用のパウダー容器において、前記ショルダーキャップ（２０）の上部には下部にショルダーキャップの中央通孔（２０ａ）に挿入された結合部（５１）と上段の外周縁に突出形成された組立あご（５２）を持つリング形の固定具（５０）を安着されるよう挿入して結合設置され、前記リング形の固定具の組立あご（５２）にカバー（３５）の下部を包むように結合して前記カバーがリング形の固定具の組立あご（５２）とショルダーキャップの上段の安着部（２２）とに密着固定するように構成して、また前記ショルダーキャップ（２０）の上部の安着部（２２）にはカバーの下部を加圧して密着固定するよう放射状に加圧凹凸突起（２２ａ）を連続形成して構成したことが特徴である。
【０００８】
しかし、前記のような構造もパフ表面が水平を成しているため相変わらず化粧をすることが不便な点が残っていた。
【発明の開示】
【発明が解決しようとする課題】
【０００９】
本発明は前記のような問題を解決するためのものであり、傾斜面で形成されたパフを適用して使用者が容易く化粧できるようにすることにその目的がある。
【００１０】
また、補助パフシーツを更に装着して化粧用のパウダーが流れ落ちることなく分散が容易くなるようにすることにその目的がある。
【００１１】
また、ショルダーの結合面を多数個の緩衝溝を持つ形態に構成してリング形の固定具がより容易くショルダーに進入して結合されるように製作することにその目的がある。
【課題を解決するための手段】
【００１２】
前記の目的を達成するための手段で、
本発明は内部に化粧用のパウダーを充填するための空間部を持ち、上部に円筒形パネル（１１）と開口部とが形成される共に開閉のためのねじ山（１１ａ）が円筒形パネル（１１）の外則に形成されて構成される容器本体（１０）と；前記容器本体（１０）の上部に結合されるショルダー（３０）と；前記ショルダーの上部に結合されるリング形の固定具（４０）と；前記リング形の固定具（４０）に安着されて化粧用のパウダーが通過するパウダーの通過用のホール（５１）が形成され、上部に傾斜面（５０ａ）が形成されたパフ（５０）と；前記パフ（５０）の上面に安着された補助パフシーツ（５２）と；前記パフ（５０）と補助パフシーツ（５２）との上部及び外則面を包むパフカバー（６０）と；を含めて構成することが特徴である。
【００１３】
また、内部に化粧用のパウダーを充填するための空間部を持ち、上部に円筒形パネル（１１）と開口部とが形成される共に開閉のためのねじ山（１１ａ）が円筒形パネル（１１）の外則に形成されて構成される容器本体（１０）と；前記容器本体（１０）の上部に結合され、内則に安着部が形成されて構成される統合形ショルダー（３０’）と；前記ショルダー（３０’）に安着されてパウダーが通過するパウダーの通過用のホール（５１）が形成され、上部に傾斜面（５０ａ）が形成されたパフ（５０）と；前記パフ（５０）の上面に安着された補助パフシーツ（５２）と；前記パフ（５０）と補助パフシーツ（５２）との上部及び外則面を包むパフカバー（６０）と；を含めて構成することが特徴である。
【００１４】
また、前記パフ（５０）のパウダーの通過用のホール（５１）は、上と中と下とのそれぞれの直径が同一な円筒形、または上広中狭下広の形の孔で形成されることが特徴である。
【００１５】
また、前記パフ（５０）の傾斜面にパウダーの通過用のホール（５１）が形成され、傾斜面の上段部に位置するホール（５１ａ）が他のホール（５１ｂ、５１ｃ）より大きく形成されることが特徴である。
【００１６】
また、前記パフ（５０）の傾斜面のパウダーの通過用のホール（５１）は、傾斜面の上段部に位置するホール（５１ａ）が一番大きいホールで、傾斜面で中間部に位置するホール（５１ｂ ）が中間の大きさのホールで、傾斜面で下段部に位置するホール（５１ｃ）が一番小さいホールで、それぞれに形成されることが特徴である。
【００１７】
また、前記補助パフシーツ（５２）はパフ（５０）とパフカバー（６０）とより粗密ではない発泡樹脂フォームまたは網紗で形成されることが特徴である。
【００１８】
また、前記補助パフシーツ（５２）はパフ（５０）の傾斜面のの広さより小さい広さに形成され、前記補助パフシーツ（５２）をパフ（５０）の傾斜面（５０ａ）の上部則に位置して、パフ（５０）の傾斜面（５０ａ）の下部則（Ｂ）はパフカバー（６０）がパフ（５０）に直接に接触されるように形成されることが特徴である。
【００１９】
また、前記パフ（５０）とパフカバー（６０）との上に蓋（７０）が更に覆われることが特徴である。
【００２０】
また、前記蓋（７０）の上面にはミラー（７１）が付着されることが特徴である。
【発明の効果】
【００２１】
前述のように本発明は傾斜面で形成されたパフをを適用して使用者が容易く化粧できるようにする効果がある。
【００２２】
また、補助パフシーツを更に装着して化粧用のパウダーが流れ落ちなく分散が容易くなるようにする効果がある。
【００２３】
また、ショルダーの結合面を多数個の緩衝溝を持つ形態に構成してリング形の固定具がより容易くショルダーに進入して結合される効果がある。
【図面の簡単な説明】
【００２４】
【図１】従来の化粧用のパウダー容器の構成図である。
【図２】従来の化粧用のパウダー容器の構成図である。
【図３】本発明の化粧用のパウダー容器の外部の姿を示す斜視図である。
【図４】本発明の化粧用のパウダー容器の分解の斜視図である。
【図５】本発明の全体の断面図である。
【図６】本発明のパフの違う実施形態の断面図である。
【図７】本発明で化粧用のパウダーをパフを通じて排出することを示す断面図である。
【図８】本発明の化粧用のパウダー容器の違う実施形態図である。
【図９】本発明の化粧用のパウダー容器の違う実施形態の全体の断面図である。
【図１０】図９を利用して化粧用のパウダーをパフを通じて排出することを示す断面図である。
【発明を実施するための最良の形態】
【００２５】
以下添付される図面と説明とを参照して本発明の好ましい実施形態に関する動作の原理を詳しく説明する。ただし、下記に示される図面と後術の説明とは本発明の特徴を効果的に説明するための様々の方法の中で好ましい実施方法の関わるものであり、本発明が下記の図面と説明とだけで限定されるのではない。
【００２６】
また、下記で本発明を説明することにおいて関連の公知機能または構成に関する具体的な説明が本発明の要旨を不必要に濁らせると判断される場合にはその詳細な説明を省略する。そして後術の用語たちは本発明での機能を考慮して定義された用語たちであり、これは使用者、運用者の意図または慣例などによって変わられる。したがって、その定義は本発明で全般にわたる内容に基づいて決定されるべきである。
【００２７】
また、以下実施される本発明の好ましい実施形態は本発明を形成する技術的の構成要素を効率的に説明するためにそれぞれのシステムの機能構成に既に具備されているか、または本発明が属する技術分野で通常的に具備されるシステムの機能構成はできる限り省略して、本発明のために追加的に具備されるべきの機能を主に説明する。
【００２８】
もし本発明が属する技術分野での通常の知識を持つ者であれば、下記に示されてなく省略された機能構成の中で従来に既に使用されている構成要素の機能を容易く理解できることであり、また前記のように省略された構成要素と本発明のための追加された構成要素との間の関係も明らかに理解できることである。
【００２９】
また、以下の実施形態は本発明の核心的で技術的の特徴を効率的に説明するために本発明が属する技術分野での通常の知識を持つ者が明らかに理解できるよう用語を適切に変更して使用するが、これによって本発明が限定されることは断じてない。
【００３０】
結果的に、本発明の技術的思想は請求範囲によって決定され、以下の実施形態は進歩的の本発明の技術的思想を本発明が属する技術分野での通常の知識を持つ者に効率的に説明するための一つの手段にすぎない。
【００３１】
図３は本発明の化粧用のパウダー容器の外部の姿を示す斜視図であり、図４は本発明の化粧用のパウダー容器の分解の斜視図であり、図５は本発明の全体の断面図であり、図６は本発明のパフの違う実施形態の断面図であり、図７は本発明で化粧用のパウダーをパフを通じて排出することを示す断面図であって、
本発明の構成要素は容器本体（１０）と、臨時栓（２０）と、ショルダー（３０）と、リング形の固定具（４０）と、パフ（５０）と、補助パフシーツ（５２）と、パフカバー（６０）と、蓋（７０）とで構成される。
【００３２】
前記容器本体（１０）は内部に化粧用のパウダーを充填するための空間部を持つ円筒形または多角形筒の形状を持ち、上部に円筒形パネル（１１）と開口部とを形成して更に開閉のためのねじ山（１１ａ）が円筒形パネル（１１）の外則に形成される。
【００３３】
前記容器本体（１０）には円筒形パネル（１１）の内に嵌め込み結合される臨時栓（２０）が更に装着されることが可能で、前記臨時栓（２０）は円筒形パネルに嵌め込み結合されて化粧用のパウダーが外部に漏出されることを遮断するための円筒形の支持部（２１）と、前記円筒形の支持部（２１）を円筒形パネル（１１）の上部の終端に据え置くために上部に形成されるフランジ面（２２）と、前記円筒形の支持部（２１）を外部に分離するために中央に形成される取っ手（２３）とで構成される。前記ショルダー（３０）は容器本体（１０）に結合される第１円筒形パネル（３１）と、前記第１円筒形パネル（３１）より直径が小さい第２円筒形パネル（３２）と、前記第２円筒形パネル（３２）の上部に形成される安着面（３３）と、前記安着面の内則から下の方向に形成されて収納空間部を形成する第３円筒形パネル（３４）とで構成され、前記第１円筒形パネル（３１）の内周縁には容器本体（１０）のねじ山（１１ａ）に結合されるねじ山（３１ａ）が形成される。前記安着面（３３）は緩衝溝（３３ａ）を形成して、これによってリング形の固定具を安着させる時に前記緩衝溝（３３ａ）が緩衝作用をしてより容易くリング形の固定具（４０）をショルダー（３０）に組み立てるようにする。前記第３円筒形パネル（３４）の内周縁の上則の周りには回転防止手段が形成され、回転防止手段の第１実施形態でナーリング（ｋｎｕｒｌｉｎｇ 、３４ａ）が形成される。
【００３４】
前記リング形の固定具（４０）はパフ（５０）とパフカバー（６０）とを被せた状態でショルダー（３０）の安着面（３３）に安着される円筒形の結合具（４１）と、前記円筒形の結合具（４１）から下の方向に突出形成されてショルダー（３０）の第３円筒形パネル（３４）の内則に嵌め込み結合される円筒形の支持台（４２）と、前記円筒形の支持台（４２）の終端部から中心方向に一定の幅ほどに形成されてパフ（５０）を安着させる円形の帯の形状のパフ支持台（４３）とで構成される。前記円筒形の支持台（４２）の外周縁の上則の周りにはナーリング（４２ａ）が形成されて前記ショルダー（３０）のナーリング（３４ａ）とかみ合わされて円筒形の支持台（４２）がショルダー（３０）の内則で回転されないようにする。
【００３５】
前記パフ（５０）は上面が傾斜面（５０ａ）を形成することが特徴であり、傾斜面を形成するので使用上に化粧が容易い長所を持っている。また、前記パフ（５０）は多数個のパウダーの通過用のホール（５１）が形成され、リング形の固定具（４０）のパフ支持台（４３）に安着される。前記パフ（５０）のパウダーの通過用のホール（５１）は図５に示されているように上下の直径が同一の円筒形の孔であることが可能で、図６に示されているように上広中狭下広の形態の孔であることも可能である。前記上広中狭下広の形態の孔である場合には容器本体（１０）に内装される化粧用のパウダーが更に容易く排出されて拡散されることができる。
【００３６】
また、本発明の傾斜面（５０ａ）を持つパフ（５０）にパウダーの通過用のホール（５１ａ）が形成され、前記パウダーの通過用のホール（５１）は図４に示されているように傾斜面で上段部に位置するホール（５１ａ）を他のホール（５１ｂ、 ５１ｃ）より大きく形成することができる。
【００３７】
また、パウダーの通過用のホール（５１）の違う実施形態によれば、傾斜面の上段部に位置するホール（５１ａ）は一番大きいホールで、傾斜面で中間部に位置するホール（５１ｂ）は中間の大きさのホールで、そして傾斜面で下段部に位置するホール（５１ｃ）は一番小さいホールで形成される。前記でホールの大きさをそれぞれに相異にする理由は、傾斜面の上段部は長さが一番長い故にパウダーが移送される通路が長いため、ホール（５１ａ）が比較的に長くなければならなく、また、傾斜面の中間部のホール（５１ｂ）はパウダーの移送通路が中間の長さであるために中間の大きさのホールで形成して、傾斜面の下段部のホール（５１ｃ）はパウダーの移送通路が一番短いので小さいホールで形成する。
【００３８】
前記パフカバー（６０）は前記パフ（５０）を包みながら下則の端部がリング形の固定具（４０）の円筒形の結合具（４１）とショルダー（３０）の安着面（３３）との間に固定されてパフ（５０）を堅固に固定させる。
【００３９】
前記パフ（５０）の上には図４乃至図７に示されているように補助パフシーツ（５２）が安着されることができる。前記補助パフシーツ（５２）は前記パフカバー（６０）でパフ（５０）と共に包まれて固定される。前記補助パフシーツ（５２）は相対的にパフ（５０）とパフカバー（６０）とより粗密ではない発泡樹脂フォームで形成されることが好ましく、補助パフシーツ（５２）はパフ（５０）のパウダーの通過用のホール（５１）から排出された化粧用のパウダーが拡散されることを手伝う。
【００４０】
また、前記補助パフシーツ（５２）はパフ（５０）の上面、傾斜面の広さより小さい広さで形成され、前記補助パフシーツ（５２）はパフ（５０）の上面、傾斜面の上部則に位置させてパフ（５０）の上面、傾斜面の下部則（Ｂ）にはパフカバー（６０）がパフ（５０）に直接に接触するようにしてパウダーの通過用のホール（５１）を通過する化粧用のパウダーがパフ（５０）の傾斜面（５０ａ）にしたがって流れ落ちないようにする。
【００４１】
前記蓋（７０）はパフカバー（６０）とパフ（５０）とリング形の固定具（４０）とを被せながらショルダー（３０）の第２円筒形パネル（３２）に被らせて固定される。このために前記蓋（７０）の内周面とショルダー（３０）の第２円筒形パネル（３２）の外周面とに決着具を形成することが好ましい。そして前記蓋（７０）の上面にはミラー（７１）を付着してパウダーのよる化粧をする時に前記ミラー（７１）を利用して化粧できるようにする。
【００４２】
以下で本発明の組立方法を説明する。
【００４３】
本発明は容器本体（１０）と、臨時栓（２０）と、ショルダー（３０）と、リング形の固定具（４０）と、パフ（５０）と、補助パフシーツ（５２）と、パフカバー（６０）と、蓋（７０）とで構成され、容器本体（１０）の内部に化粧材料である化粧用のパウダーを充填し、化粧用のパウダーの充填が完了された状態で臨時栓（２０）で閉めて化粧用のパウダーが漏出されないようにし、前記容器本体（１０）にはショルダー（３０）で閉鎖し、蓋（７０）を閉める。
【００４４】
そして、使用者が本発明の化粧品の容器を最初に使用する時には蓋（７０）を開けた後に、ショルダー（３０）を開けて臨時栓（２０）に形成された取っ手（２３）を引っ張ると臨時栓（２０）が容器本体（１０）から分離されてショルダー（３０）を容器本体（１０）に再び閉めてパウダー化粧品がパフ（５０）を通じてパフカバー（６０）に排出されるように組立る。
【００４５】
この時、前記ショルダー（３０）の上部にはリング形の固定具（４０）が装着された状態であり、前記リング形の固定具（４０）にはパフ（５０）と補助パフシーツ（５２）とパフカバー（６０）とが装着された状態である。
【００４６】
より詳しくは、パフ（５０）はリング形の固定具（４０）の円形の帯の形状のパフ支持台（４３）に安着された状態であり、その上にパフカバー（６０）がパフ（５０）を包みながらリング形の固定具（４０）の円筒形の結合部（４１）に結合され、パフカバー（６０）の端部がリング形の固定具（４０）の円筒形の結合部（４１）とショルダー（３０）の安着面（３３）との間で 圧迫されて結合される。
【００４７】
この時、前記パフ（５０）は傾斜面（５０ａ）を持つように設計されているため前記傾斜面（５０ａ）を通じて排出されるパウダーを利用して容器本体（１０）を別途に斜めに動作させなくても容易く化粧することができる。
【００４８】
即ち、容器本体（１０）を斜めに維持したまま傾斜面（５０ａ）で頬をタッチしながら容易く化粧が可能である。
【００４９】
そして、本発明はショルダー（３０）の上部に多数個の緩衝溝（３３ａ）を形成する中空形の構造を持つように構成することで前記ショルダー（３０）にリング形の固定具（４０）を結合する時に前記多数個の緩衝溝（３３ａ）が緩衝作用をするようにしてもっと容易くリング形の固定具（４０）をショルダー（３０）に結合させることができる。
【００５０】
また、リング形の固定具（４０）にナーリング（４２ａ）を形成して、更にそれに相応してリング形の固定具（４０）が安着されるショルダー（３０）の内則にもナーリング（３４ａ）を形成するのでリング形の固定具（４０）とショルダー（３０）とが硬く結合された状態を維持してショルダー（３０）を中心にリング形の固定具（４０）が回転しなくなる。
【００５１】
そして、前記のようにショルダー（３０）の上部にリング形の固定具（４０）が装着されるとショルダー（３０）の外則を利用して蓋（７０）を結合して組立を完了し、好ましくは蓋（７０）の上部にミラー（７１）を装着して使用者が前記ミラー（７１）を見ながら化粧をするようにする。
【００５２】
以下で本発明の作用の効果を説明する。
【００５３】
本発明はパフ（５０）はホール（５１）が貫通形成されていて容器本体（１０）の内部に存在する化粧用のパウダーが前記ホール（５１）を通じて排出される。
【００５４】
そして排出された化粧用のパウダーは補助パフシーツ（５２）を通過した後、パフカバー（６０）につけられることになり、使用者は前記パフカバー（６０）につけられた化粧用のパウダーを利用して粉化粧または頬へのタッチなどの顔化粧をする。
【００５５】
この時、前記パフ（５０）は傾斜面（５０ａ）を持つので使用者が前記傾斜面（５０ａ）を利用してもっと容易く化粧できるようになり、前記補助パフシーツ（５２）によって化粧用のパウダーがパフ（５０）の傾斜面（５０ａ）にしたがって流れ落ちなくて飛散が容易くなる。
【００５６】
そして、前記パフ（５０）を包むパフカバー（６０）はリング形の固定具（４０）とショルダー（３０）との間で堅固に固定された状態を維持し、更に前記リング形の固定具（４０）とショルダー（３０）とにナーリング（４２ａ、 ３４ａ）を形成して消費者のミスでリング形の固定具（４０）をショルダー（３０）から回転させようとしても回転されなく停止状態を維持する。
【００５７】
これによってパフカバー（６０）が破れるとか毀損されろ状況が事前に防止されてパフ（５０）が分離されることを初めから遮断されるため、使用者はより安心してパウダー化粧品を使用することができる。
【００５８】
一方、図８は本発明の化粧用のパウダー容器の違う実施形態図であり、図９は本発明の化粧用のパウダー容器の違う実施形態の全体の断面図であり、図１０は図９を利用して化粧用のパウダーをパフを通じて排出することを示す断面図であって、本発明は統合形ショルダー（３０’）を利用してパフ（５０）を固定した状態で使用することも可能で、本発明の統合形ショルダー（３０’）は内則に安着部（３１’）を形成して、前記安着部（３１’）にパフ（５０）を内装した後に補助パフシーツ（５２）を置いてその上をパフカバー（６０）で包むように構成される。
【００５９】
前記パフ（５０）は傾斜面（５０’）を持ってパウダーの通過用のホール（５１）が形成され、前記のようなパフ（５０）を統合形ショルダー（３０’）に結合して利用すれば良いし、前記のような構成のパウダー容器は傾斜面（５０ａ）を利用して化粧をするので別途に容器本体（１０）を斜めに持ってなくても良いので不便なく化粧をすることが可能である。
【符号の説明】
【００６０】
１０: 化粧容器 本体
２０: 臨時栓
３０: ショルダー
４０: リング形の固定具
５０: パフ
６０: パフカバー
７０: 蓋
【図１】
2014236983.tif 000003
【図２】
2014236983.tif 000004
【図３】
2014236983.tif 000005
【図４】
2014236983.tif 000006
【図５】
2014236983.tif 000007
【図６】
2014236983.tif 000008
【図７】
2014236983.tif 000009
【図８】
2014236983.tif 000010
【図９】
2014236983.tif 000011
【図１０】
2014236983.tif 000012